(57)【要約】【課題】水位変動に追従して動作し、水位が低下しても水中を照らすことができる水中照明装置を提供することにある。【解決手段】水槽８の内壁面に、垂下状態に取付けられた支柱１２に照明器具２を支承させた水中照明装置１０において、前記照明器具２は、水面上に配置される発光部４と、この発光部４に連結され一部が水面下に配置され浮力を有する筒状の灯体１４とから成ることを特徴とする。【選択図】図１
2018045923.tif 000002
【特許請求の範囲】
【請求項１】
水槽の内壁面に、垂下状態に取付けられた支柱に照明器具を支承させた水中照明装置において、
前記照明器具は、水面上に配置される発光部と、この発光部に連結され一部が水面下に配置され浮力を有する筒状の灯体とから成ることを特徴とする水中照明装置。
【請求項２】
前記照明器具はリンク構造を有するサポートによって前記支柱に支承されることを特徴とする請求項１記載の水中照明装置。
【請求項３】
前記水槽は、沸騰水型原子炉の原子炉ウェルであることを特徴とする請求項１または請求項２記載の水中照明装置。
【請求項４】
前記サポートは前記照明器具の少なくとも上下左右４か所に伸縮自在に配置されていることを特徴とする請求項１から３の何れか１項記載の水中照明装置。
【発明の詳細な説明】
【技術分野】
【０００１】
本発明の実施形態は、水槽の内壁面に支承される水中照明装置に関するものである。
【背景技術】
【０００２】
従来の水中照明装置は、水槽の内壁面に支承される、例えば沸騰水型原子炉の原子炉ウェルに取付けられている水中照明装置を例に示すと、原子炉圧力容器やその関連設備等の水面下へ光を照らす為に筒状の灯体の先端を水面下へ没して設置する構造がある。
【０００３】
図３を基に従来の水中照明装置９の概要を説明する。この図３は、水中照明装置の従来例を示し、（ａ）は側面図、（ｂ）は（ａ）のＡ矢視図である。
【０００４】
図３において、原子炉ウェル８の上部開放部には固定具１が取り付けられており、この固定具１にサポート３を介して水面下を照らす水中照明具２が連結されている。この水中照明具２の上部はハロゲン灯４、端子台５のような電気品があるため通常水位（ＮＷＬ）において水面上の気中に配置されている。従って水面下へ光を照らすため灯体６の下部の一部と透明カバー７を水面下へ没した状態でサポート３を前後に動かすことで水中照明具２が首振り動作して、水中の所定場所を照らす構造となっている。
【先行技術文献】
【特許文献】
【０００５】
【特許文献１】特開平８−１５３４０２号公報
【特許文献２】実開昭６１−１４０００号公報
【特許文献３】実開昭５９−２３１０３号公報
【発明の概要】
【発明が解決しようとする課題】
【０００６】
上述したような水中照明装置は、プラント保守で一時的に原子炉ウェル８の水位を通常水位（ＮＷＬ）から下げると灯体６の先端が水面から露出するため光が水面で反射し水面下を照らす事が出来ない。また、消灯を忘れるとハロゲン灯４の輻射熱により透明カバー７が焼ける可能性があった。
【０００７】
本発明は、上述した課題を解決するため、水位変動に追従して動作する水中照明装置を提供することを目的とする。
【課題を解決するための手段】
【０００８】
上記実施形態は、水槽の内壁面に、垂下状態に取付けられた支柱に照明器具を支承させた水中照明装置において、前記照明器具は、水面上に配置される発光部と、この発光部に連結され一部が水面下に配置され浮力を有する筒状の灯体とから成ることを特徴とする。
【発明の効果】
【０００９】
本発明の実施形態に係る水中照明装置は、水位が低下しても、水面に浮いた照明器具は水面に追従して低下するので、水面下を照らす事ができる。
【図面の簡単な説明】
【００１０】
【図１】本発明の実施形態の水中照明装置の構造を示す側面図。
【図２】図１に示した水中照明装置の動作を示す説明図。
【図３】水中照明装置の従来例を示し、（ａ）は側面図、（ｂ）は（ａ）のＡ矢視図。
【発明を実施するための形態】
【００１１】
以下、本発明の実施形態について図面を参照しながら説明する。
【００１２】
図１は、本発明の実施形態の水中照明装置１０の構造を示す側面図であり、図２は図１に示した水中照明装置１０の動作を示す説明図である。なお、図１および図２において図３と同一部分には同一符号を付してその部分の構成の説明は省略する。
【００１３】
図１および図２に示すように本実施形態における水中照明装置１０において、原子炉ウェル（水槽）８の上部開口部には固定具１１が取り付けられ、原子炉ウェル８の内壁面に、垂下状態に取付けられた支柱１２を有している。この支柱１２には水面下を照らす水中照明具（照明器具）２がサポート１３を介して連結されている。
【００１４】
水中照明具２の上部はハロゲン灯（発光部）４、端子台５のような電気品で構成されるため、水面下へ光を照らすための灯体１４の一部と透明カバー７が水面下へ没し、水中照明具２の浮力により水面に浮いた状態で設置される。この場合、例えば灯体１４を水に浮く素材（水より比重が小さい、例えば樹脂等から成る素材）を選択して水中照明具２を水に浮く構成にしてもよい。なお、図１は通常水位（ＮＷＬ：Normal Water Level）の状態を示している。
【００１５】
図２は原子炉ウェル８の水位が通常水位（ＮＷＬ）より低下した場合を示している。
【００１６】
水位が低下すると、水面に浮いた水中照明具２は水面に追従して低下し、常に灯体１４の下部が水面下へ没する。サポート１３はリンク構造で、上下左右少なくとも４か所に配置され、図１においては原子炉ウェル８の内壁面を向いて左側２か所が示され右側にも同様な位置に配置されている。そして、原子炉ウェル８の水位変動に追従して動作することにより、水中照明具２が常に水面下に没することができる。
【００１７】
また、サポート１３はリンク構造であるので、回動自在に配置された支持点１５によって灯体１４の取付け角度が常に最適角度を維持して昇降可能である。そして、光を照らす方向を移動する場合には上下左右に配置されたサポート１３を伸縮させることによって、その水中照明具２の支持角度を制御することができる。
【００１８】
さらに、透明カバー１７が常に水面下に没することができるため周囲の水の冷却作用によって、消灯忘れによるハロゲン灯４の輻射熱による透明カバー７の焼損を防ぐことができる。なお、このハロゲン灯４は、発光部として、その設置場所に応じてＬＥＤ、白熱灯、蛍光灯に代替えすることも可能である。
【００１９】
本発明の実施形態を説明したが、この実施形態は、例として提示したものであり、発明の範囲を限定することは意図していない。
【００２０】
これら実施形態は、その他の様々な形態で実施することが可能であり、発明の要旨を逸脱しない範囲で、種々の省略、置き換え、変更、組み合わせを行うことができる。
【００２１】
これら実施形態やその変形は、発明の範囲や要旨に含まれると同様に、特許請求の範囲に記載された発明とその均等の範囲に含まれるものである。
【符号の説明】
【００２２】
１、１１…固定具
２…水中照明具（照明器具）
３、１３…サポート
４…ハロゲン灯（発光部）
５…端子台
６、１４…灯体
７…透明カバー
８…原子炉ウェル（水槽）
９、１０…水中照明装置
１２…支柱
１５…支持点
【図１】
2018045923.tif 000003
【図２】
2018045923.tif 000004
【図３】
2018045923.tif 000005